(57)【要約】【課題】撮影者が意図する場面や被写体の反応を記録することを可能にし、また、記録した情報を利用して効率的な画像検索、画像編集を行う。【解決手段】イベント発生手段１１によって、被写体の五感への働きかけを行う効果音等のイベントを発生させ、画像情報記録手段１２によって、このイベントに反応した被写体を撮影し、撮影者が意図する場面や被写体の反応を記録する。このとき、マーキング情報記録手段１４によって、イベント発生に同期してマーキング情報を付して、画像情報を記録しておく。画像情報検索手段１５によって、このマーキング情報をキーとして必要な被写体が記録された画像情報を検索して、検索した画像情報をサムネイル表示し、効率的な画像表示、画像編集を行う。【選択図】      図２
2004282348.tif 000002
【特許請求の範囲】
【請求項１】
被写体を撮影して画像情報として取り込み、記録媒体に記録する画像情報記録装置であって、
前記被写体の撮影に同期して、その被写体の五感の少なくとも１つへ働きかけを行うイベントを発生するイベント発生手段と、
前記被写体を撮影した画像情報を取り込み、前記記録媒体に記録する画像情報記録手段と、
を備えたことを特徴とする画像情報記録装置。
【請求項２】
前記被写体の撮影に先立って、予め設定登録された複数の前記イベントを選択する操作を撮影者に促し、その撮影者により選択されたイベントを前記イベント発生手段に通知するイベント選択情報通知手段を備えたことを特徴とする請求項１に記載の画像情報記録装置。
【請求項３】
前記イベント発生手段によるイベント発生に同期してマーキング情報を生成し、その生成したマーキング情報を、前記画像情報記録手段によって記録される画像情報と関連付けて前記記録媒体に記録するマーキング情報記録手段を備えたことを特徴とする請求項１又は請求項２に記載の画像情報記録装置。
【請求項４】
被写体を撮影して画像情報として取り込み、記録媒体に記録する画像情報記録装置であって、
前記被写体を撮影した画像情報を取り込み、前記記録媒体に記録する画像情報記録手段と、
前記画像情報記録手段による前記被写体の撮影に同期してマーキング情報を生成し、その生成したマーキング情報を、前記画像情報記録手段によって記録される画像情報と関連付けて前記記録媒体に記録するマーキング情報記録手段と、
を備えたことを特徴とする画像情報記録装置。
【請求項５】
前記記録媒体から、前記マーキング情報をキーとして、必要な被写体が記録された画像情報を検索し、その検索した画像情報をサムネイル表示する画像情報検索手段を備えたことを特徴とする請求項３に記載の画像情報記録装置。
【請求項６】
前記画像情報検索手段は、前記検索した画像情報を、前記イベントが属するグループごとにサムネイル表示することを特徴とする請求項５に記載の画像情報記録装置。
【請求項７】
前記記録媒体から、前記マーキング情報をキーとして、必要な被写体が記録された画像情報を検索し、その検索した画像情報をサムネイル表示する画像情報検索手段を備えたことを特徴とする請求項４に記載の画像情報記録装置。
【請求項８】
前記画像情報検索手段は、前記マーキング情報が記録された画像情報の撮影時刻を基準として、その前後に設定された所定のフレーム数の画像情報を検索することを特徴とする請求項５乃至請求項７のいずれか一項に記載の画像情報記録装置。
【請求項９】
被写体を撮影して画像情報として取り込み、記録媒体に記録する画像情報記録装置に接続されるイベント情報記録装置であって、
前記画像情報記録装置による前記被写体の撮影に同期して前記被写体の五感の少なくとも１つへの働きかけを行う複数のイベントを登録すると共に、
前記登録したイベントの中から１以上の所定のイベントを選択し、その選択したイベントを前記画像情報記録装置に転送することを特徴とするイベント情報記録装置。
【請求項１０】
コンピュータに、
被写体の撮影に同期して、その被写体の五感の少なくとも１つへ働きかけを行うイベントを発生するステップと、
前記被写体を撮影した画像情報を取り込み、記録媒体に記録するステップと、
を含んで実行させることを特徴とする画像情報記録プログラム。
【請求項１１】
コンピュータに、
前記ステップに追加して、
前記イベントの発生又は被写体の撮影に同期してマーキング情報を生成し、その生成したマーキング情報を、前記記録される画像情報と関連付けて、前記記録媒体に記録するステップを含んで実行させることを特徴とする請求項１０に記載の画像情報記録プログラム。
【発明の詳細な説明】
【０００１】
【発明の属する技術分野】
本発明は、被写体を撮影して画像情報として取り込み、記録媒体に記録する画像情報記録装置、その画像情報記録装置にイベント情報を転送するイベント情報記録装置及び画像情報記録プログラムに関する。
【０００２】
【従来の技術】
撮影した写真を即時に確認できるディジタルカメラが普及している。フィルムカメラとの大きな違いとして、撮影時に写真の色調を変えることができ、また、動画を撮ることも可能になった。最近では、発展した形態として音も同時に記録するディジタルムービーも出現するに至った。
ところで、ゴルフ等のスポーツや歌舞伎等のように一連の動作の途中に音を発生するものを被写体とする場合、一連の動作を把握するために画像と音とを記録し、その音が所定の基準値を超えたときの時刻を再生基準時刻とし、この再生基準時刻の前後に記録された画像を読み出し再生する方法が知られている（特許文献１参照）。
【０００３】
【特許文献１】
特開平８−７９６７８号公報（段落［００３８］〜［００４１］、図３参照）
【０００４】
【発明が解決しようとする課題】
しかしながら、前記従来の技術は、被写体が音を出すことによって実現される技術であるため、めまぐるしく表情が変化する子供の動きや動物を撮影するには不向きである。すなわち、カメラ側から能動的に被写体の五感へ働きかける仕掛けではないため、撮影者が意図する場面や被写体の反応を記録することは困難であった。
また、前記従来の技術によれば、撮影記録後のファイル検索のための撮影者の負担が大きく、効率的な画像表示、画像編集のための仕掛け作りが要求されていた。
【０００５】
本発明は、前記事情に鑑みてなされたものであり、撮影者が意図する場面や被写体の反応を記録することを可能にし、また、記録した情報を利用して効率的な画像表示、画像編集を行うことができる手段を提供することを目的とする。
【０００６】
【課題を解決するための手段】
前記課題を解決するために、請求項１に係る発明は、被写体の撮影に同期して、被写体の五感の少なくとも１つへ働きかけを行うイベントを発生するイベント発生手段と、被写体を撮影した画像情報を取り込み、記録媒体に記録する画像情報記録手段とを備えたことを特徴とする画像情報記録装置である。
本発明によれば、画像情報記録手段が、イベント発生手段によって発生され、被写体の五感の少なくとも１つへの働きかけを行うイベントに反応した被写体を撮影し、その撮影した画像情報を取り込み、記録媒体に記録することにより、撮影者が意図する場面や被写体の反応を記録することを可能にする。これは、例えば、幼児にカメラの方を向かせたり、モデルの表情を意図するものに変えたりして、できる限り少ない撮影回数（できれば、１回）で所望の画像を取得するために有効な方法になる。
なお、「イベント」とは、被写体である人や動物の五感の少なくとも１つへ働きかけを行うために生成されるものであり、例えば、効果音や照明効果をいう。また、請求項における「記録媒体」は、発明の実施の形態においては、フラッシュメモリとして記載する。
【０００７】
請求項２に係る発明は、被写体の撮影に先立って、予め設定登録された複数のイベントを選択する操作を撮影者に促し、撮影者により選択されたイベントをイベント発生手段に通知するイベント選択情報通知手段を備えたことを特徴とする画像情報記録装置である。
本発明によれば、イベント選択情報通知手段が、予め設定登録される複数のイベントの選択操作を促し、撮影者により選択されたイベントを通知することで、撮影者は、多種類のイベントを撮影の目的に照らして選択することができ、より効果的に、意図する場面又は被写体の反応を記録することができる。
【０００８】
請求項３に係る発明は、イベント発生手段によるイベント発生に同期してマーキング情報を生成し、生成したマーキング情報を、画像情報記録手段によって記録される画像情報と関連付けて記録媒体に記録するマーキング情報記録手段を備えたことを特徴とする画像情報記録装置である。
本発明によれば、マーキング情報記録手段が、イベントの発生に同期して生成したマーキング情報を、画像情報と関連付けて記録することにより、マーキング情報を検索キーとして対応する画像情報の検索が可能になるため、効率的な画像表示、画像編集を行うことができる。
【０００９】
請求項４に係る発明は、被写体を撮影した画像情報を取り込み、前記記録媒体に記録する画像情報記録手段と、画像情報記録手段による被写体の撮影に同期してマーキング情報を生成し、その生成したマーキング情報を、画像情報記録手段によって記録される画像情報と関連付けて記録媒体に記録するマーキング情報記録手段を備えたことを特徴とする画像情報記録装置である。
本発明によれば、マーキング情報記録手段が、被写体の撮影に同期して生成したマーキング情報を、画像情報と関連付けて記録することにより、そのマーキング情報を検索キーとして対応する画像情報の検索が可能になるため、効率的な画像表示、画像編集を行うことができる。このマーキング情報は、イベント発生とは関係なく、撮影者がマーキングを意図した撮影に同期して生成することができる。
【００１０】
請求項５及び請求項７に係る発明は、記録媒体から、マーキング情報をキーとして、必要な被写体が記録された画像情報を検索し、検索した画像情報をサムネイル表示する画像情報検索手段を備えたことを特徴とする画像情報記録装置である。
本発明によれば、画像情報検索手段が、マーキング情報記録手段によって生成されるマーキング情報をキーとして必要な被写体が記録された画像情報を検索して、その検索した画像情報をサムネイル表示することにより、効率的な画像表示、画像編集を行うことができる。
なお、請求項５と請求項７との違いは、マーキング情報生成の契機の違いであり、請求項５は、イベント発生に同期してマーキング情報を生成するのに対して、請求項７は、被写体の撮影に同期してマーキング情報を生成する。
【００１１】
請求項６に係る発明は、画像情報検索手段が、検索した画像情報を、イベントが属するグループごとにサムネイル表示することを特徴とする画像情報記録装置である。
本発明によれば、イベントが属するグループごとに、検索した画像情報をサムネイル表示することで、グループごとの検索、編集が可能となり、より効率的な画像表示、画像編集を行うことができる。
【００１２】
請求項８に係る発明は、画像情報検索手段が、マーキング情報が記録された画像情報の撮影時刻を基準として、その前後に設定された所定のフレーム数の画像情報を検索することを特徴とする画像情報記録装置である。
本発明によれば、例えば、動画像において、マーキング情報をキーとして検索された画像情報の撮影時刻の前後の、設定フレーム数分の画像情報を検索することができるため、画像の簡易編集が可能となる。すなわち、長い時間をかけて動画像を再生して見るのではなく、イベントを発生した時刻や意図的にマーキングした時刻の前後の画像だけを見ることができるので、適切な画像の抽出を簡単に行うことができる。
なお、画像情報の撮影時刻は、画像情報が撮影されたときに、自動的にその画像情報に付与されるものとする。
【００１３】
請求項９に係る発明は、画像情報記録装置による被写体の撮影に同期して被写体の五感の少なくとも１つへの働きかけを行う複数のイベントを登録すると共に、登録したイベントの中から１以上の所定のイベントを選択し、その選択したイベントを画像情報記録装置に転送することを特徴とするイベント情報記録装置である。
本発明によれば、登録された複数のイベントの中から１以上の所定のイベントを選択し、画像情報記録装置に転送するので、画像情報記録装置ではイベント登録のための手続きが不要となり、上位装置からの転送によって、働きかけに必要なイベントを入手することができるため、イベント登録に係る負荷を軽減することができる。
なお、「イベント情報記録装置」とは、画像情報記録装置に接続されるＰＣ等の上位装置をいう。
【００１４】
請求項１０に係る発明は、コンピュータに、被写体の撮影に同期して、被写体の五感の少なくとも１つへ働きかけを行うイベントを発生するステップと、被写体を撮影した画像情報を取り込み、記録媒体に記録するステップとを含んで実行させることを特徴とする画像情報記録プログラムである。
【００１５】
請求項１１に係る発明は、コンピュータに、更に、イベント発生に同期してマーキング情報を生成し、その生成したマーキング情報を、記録される画像情報と関連付けて、記録媒体に記録するステップを含んで実行させることを特徴とする画像情報記録プログラムである。
【００１６】
【発明の実施の形態】
≪画像情報記録装置の構成と概要≫
以下、図面を参照しながら本発明の実施の形態について詳細に説明する。
図１は、本発明の実施の形態に係る画像情報記録装置のブロック構成を示す図である。画像情報記録装置は、システムＬＳＩ１を中心として、撮影ボタン、モードスイッチ、メニューボタン、十字スイッチを含むボタンスイッチ類２、撮影画像や再生画像が表示される液晶表示モニタ３、画像情報の記録媒体となるフラッシュメモリ４が周辺装置として接続される。
システムＬＳＩ１は、ＣＰＵを中心としたＬＳＩで構成され、撮影に同期して被写体の五感の少なくとも１つへ働きかけを行うイベントを発生し、そのイベントに反応した被写体を撮影して画像情報として取り込み、記録媒体に記録する機能を持つ。その詳細は後記する。
【００１７】
また、アドレス、データ、コントロールのためのラインが複数本で構成されるシステムバス３０には、システムＬＳＩ１の他に、プログラムが格納されるメモリ５、光学系２３を介して得られる撮影画像を取り込んで画像表示メモリ１０に対するリードライト制御を行うメモリ制御ＬＳＩ８、取り込んだ撮影画像をＭＰＥＧ２（Ｍｏｖｉｎｇ  Ｐｉｃｔｕｒｅ  Ｅｘｐｅｒｔｓ  Ｇｒｏｕｐ  ２）に従って圧縮伸長を行う圧縮伸長ＬＳＩ２０及びフラッシュメモリ４を接続するインタフェース回路２１が接続される。
【００１８】
撮影画像は、レンズ等の光学系２３を介して取り込まれ、ＣＣＤ（Ｃｈａｒｇｅ  Ｃｏｕｐｌｅｄ  Ｄｅｖｉｃｅ、電荷結合素子）等の撮像素子によって電気信号に変換され、Ａ／Ｄ（Ａｎａｌｏｇ／Ｄｉｇｉｔａｌ）変換回路７によってディジタル信号に変換され、メモリ制御ＬＳＩ８を介して画像表示メモリ１０に書き込まれる。メモリ制御ＬＳＩ８は、画像表示メモリ１０に書き込まれた内容を、液晶表示モニタ３の表示タイミングに同期して読み出し、Ｄ／Ａ変換回路９によってアナログ信号に変換して液晶表示モニタ３に表示する。
一方、Ａ／Ｄ変換回路７によって変換されたディジタル信号は、メモリ制御ＬＳＩ８、システムバス３０を経由してシステムＬＳＩ１に取り込まれる。システムＬＳＩ１は、メモリ５に記録されたプログラムに従って圧縮伸長ＬＳＩ２０を起動し、圧縮伸長ＬＳＩ２０は、システムＬＳＩ１によって取り込まれたディジタル信号を圧縮し、その圧縮したディジタル信号をインタフェース回路２１経由でフラッシュメモリ４に書き込む。
なお、光学系２３は、システムＬＳＩ１が、ボタンスイッチ類２を介して露出や焦点等を調整するための信号を入力し、その信号に基づいて露出調整手段や焦点調整手段をコントロールすることによって制御される。
【００１９】
図２は、本発明の実施の形態に係る画像情報記録装置の構成を機能展開して示したブロック図であり、具体的には、図１に示すシステムＬＳＩ１の中に実装される。
画像情報記録装置は、イベント発生手段１１、画像情報記録手段１２、イベント選択情報通知手段１３、マーキング情報記録手段１４、画像情報検索手段１５、画像情報ＤＢ１６及びイベントＤＢ１７で構成される。
【００２０】
イベント発生手段１１は、被写体の撮影に同期してその被写体の五感の少なくとも１つへ働きかけを行うイベントを発生する機能を持ち、また、画像情報記録手段１２は、イベント発生手段１１によって発生されるイベントに反応した被写体を撮影して画像情報として取り込み、画像情報ＤＢ１６に記録する機能を持つ。
イベント選択情報通知手段１３は、撮影に先立って、撮影者に対して予め設定登録された複数のイベントを選択する操作を促し、撮影者により選択されたイベントをイベント発生手段１１に通知する機能を持つ。また、マーキング情報記録手段１４は、イベント発生のタイミングに同期してマーキング情報を生成し、その生成したマーキング情報を、画像情報記録手段１２によって記録される画像情報と関連付けて画像情報ＤＢ１６に記録する機能を持つ。
【００２１】
一方、画像情報検索手段１５は、画像情報ＤＢ１６から前記マーキング情報を検索キーとして必要な被写体が記録された画像情報を検索して、その検索した画像情報をサムネイル表示する機能を持つ。また、画像情報検索手段１５は、その検索した画像情報をイベントが属するグループごとにサムネイル表示したり、又は、マーキング情報が記録された画像情報の撮影時刻を基準として、その前後に設定された所定のフレーム数の画像情報を検索したりすることも可能とする。なお、画像情報の撮影時刻は、画像情報が撮影されたときに、自動的にその画像情報に付与されるものとする。
【００２２】
画像情報ＤＢ１６は、図１に示すフラッシュメモリ４に構築され、ここでは、取り込まれた画像情報の他に、イベント名とフレーム番号とを示すマーキング情報が、ファイル単位の画像情報と関連付けて格納される。このマーキング情報は、画像ファイルのヘッダ又は画像ファイル中の任意の領域に記録されてもよい。また、イベントＤＢ１７には、五感の少なくとも１つへ働きかけるための動作が、イベントとして複数記録されている。ここでは、効果音及び照明効果を生成するための動作登録がなされていることとし、その効果音は、ＷＡＶ、ＡＶＩ（Ａｕｄｉｏ  Ｖｉｄｅｏ  Ｉｎｔｅｒｌｅａｖｉｎｇ）、ＭＰＥＧ形式等の様々なフォーマットによる音声ファイルが予め用意され、その照明効果は、照明の色、強度、点滅、点灯時間等の制御手順がプログラムファイルとして予め用意されており、撮影に先立って、撮影者が選択可能なようにそのイベント名（イベントアイコン）が液晶表示モニタ３に表示されるようになっている。
なお、効果音を選択した場合、その選択した効果音の再生時間の指定も可能となっており、指定がない場合はデフォルトで設定された値又はその音声ファイル長分だけ再生することとする。
【００２３】
また、これらのイベントについては、画像情報記録装置内に全て用意する必要はなく、ＰＣ等の上位装置に登録しておき、必要に応じてその上位装置から入手することも考えられる。具体的には、ＰＣに画像情報記録装置をＵＳＢ（Ｕｎｉｖｅｒｓａｌ  Ｓｅｒｉａｌ  Ｂｕｓ）ケーブルを介して接続し、ＰＣを操作して画面に登録された音声ファイルの一覧を表示し、効果音として再生する音声ファイルを選択して転送することになる。なお、照明効果についても同様、照明の色や点滅等の種類、動作が記述されたプログラム名を選択して転送することになる。
【００２４】
≪画像情報記録装置の動作≫
図３は、本発明の実施の形態に係る画像情報記録装置の動作を示すフローチャートであり、具体的にはシステムＬＳＩ１によって実行される画像情報記録プログラムの処理手順を示す。また、図４及び図５は、そのときに使用する液晶表示モニタの画面構成の一例を示す図である。
以下、図３乃至図５を参照しながら、図１及び図２に示す画像情報記録装置の動作について詳細に説明する。
【００２５】
まず、システムＬＳＩ１は、メモリ５に記録された画像情報記録プログラムに従い、ボタンスイッチ類２をスキャンする。ここで、モードスイッチが撮影モードを示していた場合（ステップＳ３１のＹｅｓ）、図４に示すような登録イベントのアイコンを液晶表示モニタ３に表示する（ステップＳ３２）。
図４に、背景にファインダ画像が映っている状態で画面下に各ボタンスイッチ類２に割り当てられたイベントがアイコンで示されている。ここで、撮影者によりボタン▲１▼が押下された場合（ステップＳ３３のＹｅｓ）、イベント選択情報通知手段１３はその旨をイベント発生手段１１に伝え、イベント発生手段１１がイベントＤＢ１７を検索して音声効果１（Ａ１）を表現する音声ファイルを取り出し（ステップＳ３４）、撮影ボタンの押下に同期してイベントとして再生する（ステップＳ３５のＹｅｓ、Ｓ３６）。このとき、マーキング情報記録手段１４は、イベント発生のタイミングに同期してマーキング情報を生成し、画像情報記録手段１２は、撮影された画像情報を取り込む（ステップＳ３７）。更に、画像情報記録手段１２は、その取り込んだ画像情報を、マーキング情報記録手段１４は、その生成したマーキング情報をその取り込んだ画像情報と関連付けて、それぞれ画像情報ＤＢ１６に記録する（ステップＳ３８）。
【００２６】
また、ボタン▲２▼が押下された場合は、照明効果１（Ｖ１）をイベントとして発生させると共にマーキングを行い、ボタン▲３▼が押下された場合は、音声効果２（Ａ２）と照明効果２（Ｖ２）をイベントとして発生させると共にマーキングを行う。更に、ボタン▲４▼が押下された場合は、イベント発生を行わずに被写体の撮影に同期してマーキングを実行することとする。このとき、いずれも、イベント発生手段１１がイベントＤＢ１７を検索して該当するファイルを取り出し、撮影ボタンの押下に同期してイベントとして再生すること、マーキング情報記録手段１４がイベント発生のタイミングに同期してマーキング情報を生成し、画像情報記録手段１２によって記録される画像情報と関連付けて画像情報ＤＢ１６に記録することは、ボタン▲１▼が押下された場合と同様である。
なお、マーキングは、イベント名とフレーム番号をキー情報として記録することとする。例えば、画像ファイルのヘッダに、「Ａ００００００１」というマーキング情報があった場合、“Ａ０００”というイベントが“０００１”フレーム目に実行されたことを示す。ここで、イベント発生無しのマーキングの場合は、イベント名は、例えば、“００００”のような、イベントを示さない値になる。
【００２７】
一方、モードスイッチが再生モードを示していた場合は（ステップＳ４１のＮｏ）、液晶表示モニタ３又は外部接続されるテレビモニタに、その画像ファイルの動画像又は静止画像の表示が行われる（ステップＳ４８）。検索モードが指定されていた場合（ステップＳ４１のＹｅｓ）、画像ファイルが静止画であるときには、実施したイベントがサムネイルと同時に表示され、画像ファイルが動画であるときには、イベントを実施した時刻前後の静止画像が表示される（ステップＳ４２）。
図５に、サムネイル表示の一例を示す。撮影して画像情報ＤＢ１６に格納されたファイル名（動画ファイル１、２、３、静止画ファイル１）ごとに、そのサムネイルがイベントアイコン（Ａ１、Ａ２、Ｖ１、Ｖ２）と共に表示される。図５は、動画ファイル１を選択した状態であり、その右側に各場面のサムネイルが表示され、各場面のサムネイルごとに実行されたイベントアイコンも表示されている。
【００２８】
ここで、ユーザは、ボタンスイッチ類２に割り付けられている十字スイッチを操作することにより、その十字スイッチの上下移動でファイル名を、左右移動で場面を選択するものとする。ここで、特定のイベントアイコンが選択された場合（ステップＳ４３のＹｅｓ）、画像情報検索手段１５は、画像情報ＤＢ１６を参照し（ステップＳ４６）、マーキング情報記録手段１４によって生成されたマーキング情報をキーに必要な被写体が記録された画像情報を検索して表示することができる（ステップＳ４７）。
また、画像情報検索手段１５は、ユーザによりイベントが属するグループ（効果音１等）が指定されることにより、そのグループに該当する画像情報をサムネイル表示することができる（ステップＳ４４のＹｅｓ、Ｓ４６、Ｓ４７）。また、マーキング情報が記録された画像情報の撮影時刻を基準として、その前後に設定された所定のフレーム数の画像情報を検索することも可能である（ステップＳ４５のＹｅｓ、Ｓ４６、Ｓ４７）。このことにより、簡易編集が可能になる。
【００２９】
以上説明したように、本発明は、被写体の五感の少なくとも１つへの働きかけを行う効果音等のイベントを発生させ、このイベントに反応した被写体を撮影することにより、撮影者が意図する場面や被写体の反応を記録することを可能にしたものであり、また、イベント発生に同期してマーキング情報を生成し、被写体を撮影した画像情報に関連付けて記録しておくことにより、このマーキング情報をキーに必要な被写体が記録された画像情報を検索してサムネイル表示して、効率的な画像表示、画像編集を行うものである。
なお、図２に示すイベント発生手段１１、画像情報記録手段１２、イベント選択情報通知手段１３、マーキング情報記録手段１４及び画像情報検索手段１５のそれぞれで実行される画像情報記録プログラムを、コンピュータによる読み取り可能な記録媒体に記録し、この記録媒体に記録された画像情報記録プログラムをコンピュータシステムに読み込ませ、実行することにより、本発明の実施の形態に係る画像情報記録装置が実現されるものとする。ここでいうコンピュータシステムとは、ＯＳや周辺機器等のハードウェアを含むものである。
【００３０】
≪その他の実施の形態≫
以上本発明の好適な実施の形態について一例を示したが、本発明は前記実施の形態に限定されず、本発明の趣旨を逸脱しない範囲で適宜変更が可能である。例えば、以下のような実施の形態が考えられる。
（１）前記実施の形態では、撮影した画像情報に関連付けて記録するマーキング情報は、イベント発生に同期して生成すると記載した。これに対して、イベントが発生してから被写体がそのイベントに反応するまで時間がかかることを考慮して、イベント発生から所定の時間（例えば、１秒）だけ遅らせて、マーキング情報を生成してもよい。このとき、イベント発生から所定の時間後に撮影された画像情報に、そのマーキング情報が関連付けられることになる。
（２）前記実施の形態では、マーキング情報をキーとして検索した画像情報の撮影時刻の前後について、所定のフレーム数の画像情報を検索するものとして記載した。これに追加して、検索して表示する画像情報の時間間隔を設定できるようにしてもよい。この時間間隔の設定によれば、被写体の反応が顕著な場合は、時間間隔を短くし、被写体の反応が緩慢な場合は、時間間隔を長くすることによって、適切な画像を効率的に抽出することができる。
（３）前記実施の形態では、被写体の五感の少なくとも１つへの働きかけとして、聴覚や視覚に対するイベント発生を例示したが、他の感覚に訴えてもよい。例えば、嗅覚を刺激するために、においを発生させてもよい。
【００３１】
【発明の効果】
以上説明したように、本発明によれば、簡単なボタンスイッチ類の操作によって効果音等のイベントを発生させることで、撮影者側から能動的に被写体の五感の少なくとも１つへ働きかけを行うことにより、撮影者が意図する場面や被写体の反応を記録することができる。また、その際取り込まれる画像情報にマーキング情報を付して記録しておくことにより、そのマーキング情報をキーとして効率的な画像検索、画像編集を行うことができる。
これらによって、撮影者は、被写体である人や動物とのコミュニケーションをより活性化させることができ、また、自動的に場面管理ができることから、創造的な撮影及び編集作業を行うことが可能になる。
【図面の簡単な説明】
【図１】本発明の実施の形態に係る画像情報記録装置のブロック構成を示す図である。
【図２】本発明の実施の形態に係る画像情報記録装置の構成を機能展開して示したブロック図である。
【図３】本発明の実施の形態に係る画像情報記録装置の動作を示すフローチャートである。
【図４】本発明の実施の形態に係る画像情報記録装置の画面構成の一例を示す図である。
【図５】本発明の実施の形態に係る画像情報記録装置の画面構成の一例を示す図である。
【符号の説明】
１…システムＬＳＩ
１１…イベント発生手段
１２…画像情報記録手段
１３…イベント選択情報通知手段
１４…マーキング情報記録手段
１５…画像情報検索手段
１６…画像情報ＤＢ
１７…イベントＤＢ
【図１】
2004282348.tif 000003
【図２】
2004282348.tif 000004
【図３】
2004282348.tif 000005
【図４】
2004282348.tif 000006
【図５】
2004282348.tif 000007